(57)【要約】      （修正有）【課題】新ナットが緩んだり二股が拡がったりしない屋根リフォーム工法用の吊り子を提供する。【解決手段】Ｃ形鋼からなる旧横架材１１に旧フックボルト１７を掛け、旧ナット２１で締めることにより波形スレート１３が葺かれている旧屋根の上に、Ｃ形鋼の新横架材２を架設するために、旧屋根の波形スレートの山部に跨がせて取り付ける屋根リフォーム工法用の吊り子Ｐにおいて、前記波形スレートの山部に載る二股金物２８と新横架材２が直接連結される結合金物２１とからなる吊り子本体Ｐと、旧フックボルトの雄ねじに嵌める割りねじ３１と、割りねじの締め金具３３と、吊り子本体の上面に置かれて割りねじを通す座金３２と、割りねじに螺入する新ナット３４とからなり、割りねじ３１の通し孔６０が設けられる座金３２は、回転しないよう二股金物２８と結合金物２９との両長孔３９、５０に垂下して掛かる爪部６２が設けられている。【選択図】図２
2010138569.tif 000002
【特許請求の範囲】
【請求項１】
Ｃ形鋼からなる旧横架材に旧フックボルトを掛け、その笠パッキンを旧ナットで締めることにより波形スレートが葺かれている旧屋根の上に、新屋根板で葺かれる新屋根を構築する下地として、旧横架材の上方に別のＣ形鋼の新横架材を架設するために、旧屋根の波形スレートの山部に跨がせて取り付ける屋根リフォーム工法用の吊り子において、前記波形スレートの山部に載る吊り子本体と、旧フックボルトの雄ねじに嵌める補修継ぎねじとしての割りねじと、割りねじの締め金具と、吊り子本体の上面に置かれて割りねじを通す座金と、割りねじに螺入する新ナットとからなり、吊り子本体は、波形スレートの山部を跨ぐ二股金物と、新横架材が直接連結される結合金物と、その上から二股金物の上端部に被着される肩掛金物とが一体に結合されてなり、そのうち、二股金物は、二股の上部が山形頂部に位置して逆Ｕ字形の中央反転起立部として形成してあるとともに、上端で前後に切欠肩部を形成してその間を頭部として突出し、頭部の反転上面に左右方向の長孔が形成され、結合金物は、前記頭部に嵌まる逆箱形のキャップが新横架材の被着部として形成され、そのキャップを基体として、その前後両側下端には新横架材にネジ止め可能にそれを挟むＬ字形の屈折連結鍔が連設され、キャップの上面には前記長孔と合致する同じく長孔が形成され、肩掛金物は、反転頭部から下の切欠肩部に落ち込むよう頭部が抜ける抜孔が設けられ、左右両側に中央反転起立部を締めに挟持する垂下片が屈折して形成され、割りねじの通し孔が設けられる座金は、回転しないよう二股金物と結合金物との両長孔に垂下して掛かる爪部が設けられていることを特徴とする屋根リフォーム工法用の吊り子。
【請求項２】
座金は、結合金物のキャップの上面にほゞ一致する鋼板からなる四角形であって、一端に一部切り下げにより前記爪部が形成されていることを特徴とする請求項１記載の屋根リフォーム工法用の吊り子。
【発明の詳細な説明】
【技術分野】
【０００１】
この発明は、古くなって朽ちた旧スレート屋根をそのままにしてその上にさらに新しいスレート屋根または折板屋根等を葺くためにその上に配列する新横架材を支持する屋根リフォーム工法用の吊り子に関する。
【背景技術】
【０００２】
既存の波形スレートの屋根が朽ちたときには、その旧スレート屋根の上にさらに新しいスレート屋根を葺く工法を先に提案した（特許文献１）。それによると、図５に示すように、旧屋根Ｒａの上に、その山部の上に取り付けられる頂部支持金物としての吊り子１０１と、谷部に置かれる底部支持金物（図３，図４参照）とにより新横架材１０２を架設し、新屋根板１０３を新フックボルト１０７でその新横架材１０２に止めるようにしたものであった。１２９は新横架材１０２を連結する結合金物である。
【０００３】
旧波形スレート１１３が葺かれている構造については、屋根に横架材１１としてのＣ型鋼が開口面を下向きに架設されており、波形スレート１１３にはその波形頂部においてフックボルト１１７の通し穴を明け、通し穴にフックボルトを差し込んで下端のフックがＣ型鋼の開口縁に引っかけられ、波形スレート１１３の上においてフックボルトの軸に上下可能に取り付けられる笠パッキン１２３をナット１２１の締め付けで押し下げることにより、フックの引っ掛かりが外れないよう保持されている。したがって、波形スレート１１３の山部の上端にはフックボルト１１７の雄ねじ１２５が笠パッキン１２３やナット１２１とともに露出している。
【０００４】
そこで、特許文献１の発明では、フックボルト１１７の上端の雄ねじ１２５が錆びついて、ナット１２１を外すことができなくなっていることが多いために、そのまま雄ねじ１２５を利用し、それに割りねじ１３１を螺着して補修し、割りねじ１３１に吊り子１０１を新ナット１３４で締め付け、こうして新横架材１０２が掛かる吊り子１０１を、旧屋根Ｒａの山形部分に二股乗りにして固定させていた。
【特許文献１】特開２００７−１８６９４１号公報
【発明の開示】
【発明が解決しようとする課題】
【０００５】
しかしながら、上記のような従来の波形スレートの屋根リフォーム工法によれば、新屋根板１０３の山部に吊り子１０１を跨がせるとともに、その中心に割りねじ１３１を突き出し、その割りねじに吊り子の上から新ナット１３４を締めつけることにより、吊り子を固定するものであるが、割りねじ１３１に対して上方へ３００ｋｇ以上の引っ張りが加わることがあるために、吊り子に対して丸ワッシャが空回りして新ナット１３４が緩むことが原因で、吊り子にガタつきが生じることがあり、そうなると、新横架材の支持が不安定となるという不都合があった。また、吊り子の二股が拡がるために、同じくガタつきが生じやすいという問題もあった。
【０００６】
この発明は、上記のような実情に鑑みて、新ナットが緩んだり二股が拡がったりしてそれが原因で旧屋根との結合にガタつきが生じるようなことのない屋根リフォーム工法用の吊り子を提供することを課題とした。
【課題を解決するための手段】
【０００７】
上記の課題を解決するために、この発明は、Ｃ形鋼からなる旧横架材に旧フックボルトを掛け、その笠パッキンを旧ナットで締めることにより波形スレートが葺かれている旧屋根の上に、新屋根板で葺かれる新屋根を構築する下地として、旧横架材の上方に別のＣ形鋼の新横架材を架設するために、旧屋根の波形スレートの山部に跨がせて取り付ける屋根リフォーム工法用の吊り子において、前記波形スレートの山部に載る吊り子本体と、旧フックボルトの雄ねじに嵌める補修継ぎねじとしての割りねじと、割りねじの締め金具と、吊り子本体の上面に置かれて割りねじを通す座金と、割りねじに螺入する新ナットとからなり、吊り子本体は、波形スレートの山部を跨ぐ二股金物と、新横架材が直接連結される結合金物と、その上から二股金物の上端部に被着される肩掛金物とが一体に結合されてなり、そのうち、二股金物は、二股の上部が山形頂部に位置して逆Ｕ字形の中央反転起立部として形成してあるとともに、上端で前後に切欠肩部を形成してその間を頭部として突出し、頭部の反転上面に左右方向の長孔が形成され、結合金物は、前記頭部に嵌まる逆箱形のキャップが新横架材の被着部として形成され、そのキャップを基体として、その前後両側下端には新横架材にネジ止め可能にそれを挟むＬ字形の屈折連結鍔が連設され、キャップの上面には前記長孔と合致する同じく長孔が形成され、肩掛金物は、反転頭部から下の切欠肩部に落ち込むよう頭部が抜ける抜孔が設けられ、左右両側に中央反転起立部を締めに挟持する垂下片が屈折して形成され、割りねじの通し孔が設けられる座金は、回転しないよう二股金物と結合金物との両長孔に垂下して掛かる爪部が設けられていることを特徴とする屋根リフォーム工法用の吊り子を提供する。
【０００８】
屋根リフォーム工法用の吊り子を上記のように構成したから、割りねじに突き通してその上に新ナットを締めつけると、二股金物が新屋根板の山部に密着すると同時に、二股金物に結合金物及び肩掛金物が順次圧接して結合が強化される。また、新屋根板や新横架材で上に持ち上がる強い力が加わったとしても、座金が爪部で長孔に係合して回転が阻止されているため、新ナットの緩みが防止され、また、結合金物が二股金物の頭部に嵌着していることと、肩掛金物の側部片が反転起立部の両側を押さえていることにより、二股金物の開拡が阻止されている。
【発明の効果】
【０００９】
以上説明したように、この発明の屋根リフォーム工法用の吊り子によれば、従来品よりも格段に強度がアップされ、新ナットが緩んだり二股が拡がったりしてそれが原因で旧屋根との結合にガタつきが生じないので、新横架材を介していつまでも新屋根板を強固に支持することができ、作業がやりやすく、仕上りも速くなるという優れた効果がある。
【００１０】
請求項２によれば、たとえ爪部が長孔から外れたとしても、新横架材に角で突き当たって回転が阻止されるため、取り付け強度の安定性がさらに確実となる。
【発明を実施するための最良の形態】
【００１１】
次に、この発明の実施形態を図面に基づいて説明する。
【００１２】
図面は一実施の形態を示したもので、その吊り子Ｐが使用される波形スレートの屋根リフォーム工法については、既存の旧屋根Ｒａはそのままにして、その上に新屋根Ｒｂが構築され、波形スレート１３の山部に配列される頂部支持金物としての吊り子Ｐと、複数の吊り子Ｐ，Ｐ，・・で受けられる新横架材２と、新横架材２，２，・・の上に葺かれる新屋根板３とが用いられる。この新屋根板３にはこの場合石綿の入っていない波形スレートが用いられ、それが新横架材２に新フックボルト７で止められる。また、吊り子Ｐと吊り子Ｐとの間の谷部において、補助的に底部支持金物５が用いられる。なお、吊り子Ｐを構成する主な部品は鋼板にプレス加工を施すことにより形成される。
【００１３】
旧横架材１１および新横架材２にはＣ型鋼が用いられ、いずれも断面開口を下向きにして、旧横架材１１は建物の梁等の間に架設される。旧屋根Ｒａは、旧横架材１１の上に波形スレート１３を載置し、その頂部に有する抜け穴１５に旧フックボルト１７を差し込んでフックを旧横架材１１に掛け、上端の雄ねじ２５に旧ナット２１を締めることにより、その下の笠パッキン２３を抜け穴１５の周縁部に圧接させてある。この状態で経年により雄ねじ２５が錆びついている。そこで、雄ねじ２５にその補修として割りねじ３１を螺着し、割りねじ３１に吊り子Ｐを通しその上端で新ナット３４が螺着される。
【００１４】
吊り子Ｐは、波形スレート１３の山部（波頂部）に載る吊り子本体２７と、旧フックボルト１７の雄ねじ２５に嵌める前記した割りねじ３１と、割りねじ３１の締め金具３３と、吊り子本体２７の上面に置かれて割りねじ３１が通る座金３２と、割りねじ３１に螺入する新ナット３４とからなる（図１）。
【００１５】
吊り子本体２７は、波形スレート１３の山部を跨ぐ二股金物２８と、新横架材２が直接被着され且つビス止めされる結合金物２９と、その上から二股金物２８の上端部に被せられる肩掛金物３０とからなり、それそれが別々に成形されたものであるが（図１）、鋼材の塑性変形を利用する加締めで不離一体に結合されている（図２）。
【００１６】
そのうち、二股金物２８は、帯鋼板に曲げ加工を施すことにより成形され、波形スレート１３の山部を跨ぐ二股であるが、幅中央部では山形頂部に位置して逆Ｕ字形に屈折する中央反転起立部３５が形成され、それから左右にそれぞれ山部の斜面に沿って下るとともに隣接山部に沿って少し反り上がる形状の脚部片３７，３７が連設される。また、吊り子本体２７の中央反転起立部３５は、上端が偏平で二股の屈折形状であるが、その形状が結合金物２９および肩掛金物３０によりさらに強化される。
【００１７】
また、この二股金物２８においては、中央反転起立部３５の上端面に割りねじ３１の通し長孔３９が横方向に長く設けられている。また、中央反転起立部３５の上部では、長孔３９の幅方向の両側端において切欠肩部４１，４１が設けられ、その分だけ中央反転起立部３５の幅が狭くなる頭部４３が形成される。こうすると、切欠肩部４１，４１で受けられるため結合金物２９および肩掛金物３０が位置決めされ傾かないように安定する。
【００１８】
結合金物２９は、鋼板に曲げ加工を施して形成され、頭部４３に嵌まる逆箱形のキャップ４７を基体として、その前後両側下端には新横架材２を挟んでビス止めするＬ字形の屈折連結鍔４９，４９が連設される。また、キャップ４７には、前記長孔３９と合致する長孔５０が形成される。
【００１９】
肩掛金物３０は、左右両側に垂下片５２，５２が屈折して形成されるが、これが中央反転起立部３５の両側に頭部４３よりも下で接合するように、頭部４３に落ち込む抜孔５４が設けられる。したがって、両屈折連結鍔４９の基部の上で切欠肩部４１，４１に掛かっており、両垂下片５２，５２での側面の押さえで中央反転起立部３５の開拡を阻止してその形を保持している。
【００２０】
座金３２は、鋼板でキャップ４７の上面にほゞ一致する四角形に形成され、中央に通し孔６０を設け、一側端には切り下げ（切り起こし）により長孔３９，５０に掛かる爪部６２が設けられる。したがって、座金３２が不用意に回転することはなく、たとえ長孔３９，５０から外れたとしても、四角形の形状で新横架材２に突き当たることにより回転が阻止される。また、爪部６２があるために座金３２が外れて新横架材２の被着の支承になるということもない。
【００２１】
新横架材２は、両側部片がＬ字形である蟻溝のチャンネルであって、下向き開口により吊り子本体２７の結合金物２９に被着された状態でネジ止めされる。屈折連結鍔４９，４９には、一対ずつビス５７，５７の通し穴５８，５８が設けられる。
【００２２】
割りねじ３１は、筒形の内周面に旧フックボルト１７の雄ねじ２５に螺合する雌ねじを、外周面には割りねじ３１が螺合する雄ねじがそれぞれ形成される雌雄両ねじ形であるが、下端部に割り溝５９を設けたもので、締め金具３３は、割り溝５９の箇所で割りねじ３１を絞ることにより旧フックボルト１７の雄ねじ２５との結合を安定強化するようにしたものである。
【００２３】
締め金具３３の構造については、割りねじ３１に嵌まる割り筒形であって、割り筒形の開口両端に相対面し先端が屈折して支点として噛み合う締め片６１，６２が突設され、両締め片６１，６２にボルト６３の通し穴６５を設け、ナット６７で締めつけるようにしたもので、一方の締め片６１の両側にはボルト６３の四角頭部の回転を止め得るように掛かるようリブ兼用の係合縁６９，６９が形成される。
【００２４】
底部支持金物５は、この発明では特に限定するものではなく、新横架材２の結合金物２９ａが用いられ、結合金物２９ａの中央に長ナットの雌ねじ７１を溶接して垂設し、それに支持ボルト７３を螺入して取り付けたもので、支持ボルト７３の下端には頭部としての足部７５が波形スレート１３の谷部に（旧横架材１１との接触箇所に）当たりやすく円形に形成される。そこで、吊り子Ｐで新横架材２を架設した後で、波形スレート１３の谷部において、新横架材２に下から結合金物２９ａを差し込み、支持ボルト７３を長く延ばして下端の足部７５を谷部に圧接させることにより、新横架材２を強固な旧横架材１１に直下受けに支持する体勢とすることができる。
【００２５】
結合金物２９ａは、吊り子Ｐの結合金物２９と同じであっても良い。しかし、この場合、別の形状であって、新横架材２の開口部に嵌まる逆チャンネル形の断面形状のキャップ４７ａを基体として、そのチャンネル形の両側下端にはＬ字形の屈折連結鍔４９ａ，４９ａが連設される。新横架材２との関係では、それがキャップ４７ａに嵌まることにより、屈折連結鍔４９ａ，４９ａのＬ字形中央反転起立部間に挟持されるとともに、下端の基部で受けられる。また、キャップ４７ａの左右両端には、新横架材２の中に深く突入する起立片５３ａ，５３ａが突設され、中央部には支持ボルト７３の通し穴５５ａが形成される。また、屈折連結鍔４９ａ，４９ａには、新横架材２との結合強化のため一対ずつビス５７ａ，５７ａの通し穴５８ａ，５８ａが設けられる。
【図面の簡単な説明】
【００２６】
【図１】この発明による屋根リフォーム工法用の吊り子を部品毎に別けて示す分解斜視図である。
【図２】同工法によるリフォーム屋根を葺く要領で吊り子を示す斜視図である。
【図３】同屋根リフォーム屋根の正面から見た断面図である。
【図４】同実施形態において吊り子と併用する底部支持金物の斜視図である。
【図５】図２に対応して従来例を示す斜視図である。
【符号の説明】
【００２７】
Ｐ  吊り子
Ｒａ  旧屋根
Ｒｂ  新屋根
１１  旧横架材
１３  波形スレート
１７  旧フックボルト
２１  旧ナット
２３  笠パッキン
２５  雄ねじ
２７  吊り子本体
２８  二股金物
２９  結合金物
３０  肩掛金物
３１  割りねじ
３２  座金
３３  締め金具
３４  新ナット
３５  中央反転起立部
３９  長孔
４１  切欠肩部
４７  キャップ
４９  屈折連結鍔
５０  長孔
５２  垂下片
５４  抜孔
６０  通し孔
６２  爪部
【図１】
2010138569.tif 000003
【図２】
2010138569.tif 000004
【図３】
2010138569.tif 000005
【図４】
2010138569.tif 000006
【図５】
2010138569.tif 000007